(57)【要約】【課題】点消火ボタンの周囲にリング状の火力調節ダイヤルを設けたガス制御装置において、その操作性を損なわず、かつ部品点数を増加させることなくいわゆるチャイルドロック機構を設ける。【解決手段】ガスバーナーに通じるガス通路を開放保持する開弁位置と該ガス通路を閉鎖する閉弁位置との間で前後方向に移動自在な点消火ボタン５を備え、点消火ボタンの周囲に、ガスバーナーの火力が小から強までの火力調節範囲で回転自在としたリング状の火力調節ダイヤル７を設ける。点消火ボタンの閉弁位置で火力調節ダイヤルを火力調節範囲を超えて回転自在とし、火力調節範囲を超えて火力調節ダイヤルを回転させるとガスバーナーの点火手段が作動しないロック位置を設ける。【選択図】　図２
2004012062.tif 000002
【特許請求の範囲】
【請求項１】
ガスバーナーに通じるガス通路を開放保持する開弁位置と該ガス通路を閉鎖する閉弁位置との間で前後方向に移動自在な点消火ボタンを備え、
該点消火ボタンの周囲に、点消火ボタンの開弁位置において、最小ガス流量をガスバーナーに供給して火力を小とする小火力と、最大ガス流量をガスバーナーに供給して火力を強とする強火力との間の少なくとも火力調節範囲で回転自在としたリング状の火力調節ダイヤルを設けたガス制御装置において、
前記点消火ボタンの閉弁位置で火力調節ダイヤルを火力調節範囲を超えて回転自在とし、該火力調節範囲を超えて火力調節ダイヤルを回転させるとガスバーナーの点火手段が作動しないロック位置を設けたことを特徴とするガス制御装置。
【請求項２】
操作ボタンを閉弁位置から開弁位置への移動経路の途中にガスバーナーの点火手段を作動させる点火位置を設け、前記ロック位置で、点消火ボタンの閉弁位置から点火位置への移動が制限されるようにしたことを特徴とする請求項１記載のガス制御装置。
【請求項３】
前記点消火ボタンを点火操作すると、ガスバーナーの火力が所定の火力なるように前記火力調節ダイヤルを強制的に回転させる強制回転手段を設けたことを特徴とする請求項１または請求項２記載のガス制御装置。
【請求項４】
前記点火操作は、前記点消火ボタンの押込み操作で、操作ボタンが閉弁位置から点火位置に移動するようにしたことを特徴とする請求項１乃至請求項３のいずれか１項に記載のガス制御装置。
【請求項５】
前記点消火ボタンの開弁位置で、火力調節ダイヤルの回転範囲を火力調節範囲に限定する回転範囲制限手段を設けたことを特徴とする請求項１乃至請求項４のいずれか１項に記載のガス制御装置。
【請求項６】
前記点消火ボタンの開弁位置で、火力調節ダイヤルを火力調節範囲を超えて小火力側に回転自在とし、小火力位置を超えて火力調節ダイヤルを回転すると、点消火ボタンを閉弁位置に強制的に移動させる強制移動手段を設けたことを特徴とする請求項１乃至請求項４のいずれか１項に記載のガス制御装置。
【請求項７】
前記火力調節ダイヤルがロック位置にある場合、前記点火手段が作動しないことを認識させる表示手段を設けたことを特徴とする請求項１乃至請求項６のいずれか１項に記載のガス制御装置。
【発明の詳細な説明】
【０００１】
【発明の属する技術分野】
本発明は、ガスコンロ等のガス器具に設けたガスバーナーへの燃料ガスの供給を制御するガス制御装置に関する。
【０００２】
【従来の技術】
この種のガス制御装置は、例えば特許第２７４２３５６号公報が知られている。このものは、例えばガスコンロの前面パネルに設けた前後方向に移動自在な点消火ボタンを有し、該点消火ボタンの前後方向の異なる３個の位置には、ガスバーナーに連なるガス通路を開放保持する開弁位置と、ガスバーナーの点火手段を作動させる点火位置と、ガス通路を閉鎖する閉弁位置とが設けられている。
【０００３】
閉弁位置から点消火ボタンを押圧操作すると、点消火ボタンが点火位置に移動し、ガス通路を開放すると共にガスバーナーの点火手段を作動させる。ガスバーナーが着火したことを確認して点消火ボタンの押圧を開放すると、点消火ボタンは突出して開弁位置に移動する。
【０００４】
開弁位置では、ガスバーナーの火力調節が点消火ボタンの周囲に設けたリング状の火力調節ダイヤルによって行われる。火力調節ダイヤルは、ガス通路に設けられガス通路の開口面積を変化させてガスバーナーへの燃料ガスのガス流量を調節するガス流量調節手段と連動している。
【０００５】
ガスバーナーの燃焼を停止する場合、開弁位置に在る点消火ボタンを押込み操作して閉弁位置まで移動させると、ガス通路が閉鎖されてガスバーナーが消火される。
【０００６】
ここで、ガスバーナーの点火操作時、燃料ガスへの着火を確実に行うには、例えばガスバーナーの火力が強または中になるように燃料ガスをガスバーナーの混合管に供給するのがよい。
【０００７】
このため、上記のものでは、ガスバーナーを消火する際、その点消火ボタンの押込み操作に連動して火力調節ダイヤルを、ガスバーナーの火力が強となる位置まで火力調節ダイヤルを強制的に回転させるリセット手段を設けている。
【０００８】
【発明が解決しようとする課題】
ところで、近年では、安全性を考慮して子供等が点消火ボタンに誤って接触してガスバーナーが作動しないように、点消火ボタンにいわゆるチャイルドロック機構を設け、閉弁位置では、例えば点消火ボタンの点火位置への移動を制限し、点火手段が作動しないようにすることが多い。
【０００９】
ここで、上記のものにチャイルドロック機構を設ける場合、リセット手段を設けているので、点消火ボタンの閉弁位置では火力調節ダイヤルを回転させることができない。
【００１０】
このため、別個にチャイルドロック操作部を付設して閉弁位置で点火手段が作動しないようにすることが考えられるが、別個の操作部を設けたのでは、特にガスバーナーの点火操作の際の操作性が損なわれるだけでなく、部品点数が増加してコスト高を招く。
【００１１】
そこで、本発明は、上記点に鑑み、別個のチャイルドロック操作部を設けることなく、閉弁位置でチャイルドロックできるガス制御装置を提供することを課題とする。
【００１２】
【課題を解決するための手段】
上記課題を解決するために、本発明のガス制御装置は、ガスバーナーに通じるガス通路を開放保持する開弁位置と該ガス通路を閉鎖する閉弁位置との間で前後方向に移動自在な点消火ボタンを備え、該点消火ボタンの周囲に、点消火ボタンの開弁位置において、最小ガス流量をガスバーナーに供給して火力を小とする小火力と、最大ガス流量をガスバーナーに供給して火力を強とする強火力との間の少なくとも火力調節範囲で回転自在としたリング状の火力調節ダイヤルを設けたガス制御装置において、前記点消火ボタンの閉弁位置で火力調節ダイヤルを火力調節範囲を超えて回転自在とし、該火力調節範囲を超えて火力調節ダイヤルを回転させるとガスバーナーの点火手段が作動しないロック位置を設けたことを特徴とする。
【００１３】
本発明によれば、閉弁位置から点消火ボタンを操作して一方に移動させると、ガス通路が開放されてガスバーナーに燃料ガスが流れ、点火手段が作動する。点火手段による点火操作が終了して点消火ボタンの操作を解除すると点消火ボタンは開弁位置に到達する。この場合、ガス通路は開放状態に保持される。
【００１４】
開弁位置で、火力調節ダイヤルを火力調節範囲内で回転させると、ガスバーナーに供給される燃料ガスのガス流量が増減されて火力が調節できる。そして、ガスバーナーを消火するために、点消火ボタンを操作して開弁位置から閉弁位置に移動させると、ガス通路が閉鎖されてガスバーナーへの燃料ガスの供給が停止される。
【００１５】
閉弁位置では、火力調節ダイヤルが火力調節範囲超えて回転させることができる。火力調節ダイヤルをロック位置まで回転させるといわゆるチャイルドロックされ、、点火手段は作動しない。
【００１６】
ここで、チャイルドロックする場合、例えば、操作ボタンを閉弁位置から開弁位置への移動経路の途中にガスバーナーの点火手段を作動させる点火位置を設け、前記ロック位置で、点消火ボタンの閉弁位置から点火位置への移動が制限されるようすればよい。
【００１７】
また、ガスバーナーの点火操作時、燃料ガスへの着火を確実に行うには、例えばガスバーナーの火力が強または中になるように燃料ガスを供給するのがよい。この場合、前記点消火ボタンを点火操作すると、ガスバーナーの火力が所定の火力なるように前記火力調節ダイヤルを強制的に回転させる強制回転手段を設ければよい。
【００１８】
そして、前記点火操作は、前記点消火ボタンの押込み操作で、操作ボタンが閉弁位置から点火位置に移動するようにしておけば、押込み操作時の押圧力を、強制回転手段による火力調節ダイヤルの回転に利用でき、例えば装置の構造を簡素化できる。
【００１９】
尚、前記点消火ボタンの開弁位置で、火力調節ダイヤルの回転範囲を火力調節範囲に限定する回転範囲制限手段を設けて、火力調節範囲以上に火力調節ダイヤルが回転できないようにしてもよい。
【００２０】
他方で、例えば調理時になべ等の調理器具から煮汁がこぼれた場合、点消火ボタンを押込み操作してガスバーナーの燃焼を停止する以外に、迅速にガスバーナーの燃焼を停止できればガス器具の使い勝手が向上する。
【００２１】
この場合、前記点消火ボタンの開弁位置で、火力調節ダイヤルを火力調節範囲を超えて小火力側に回転自在とし、小火力位置を超えて火力調節ダイヤルを回転すると、点消火ボタンを閉弁位置に強制的に移動させる強制移動手段を設ければよい。
【００２２】
尚、チャイルドロックされていることを調理者が容易に認識できるように、前記火力調節ダイヤルがロック位置にある場合、前記点火手段が作動しないことを認識させる表示手段を設けてもよい。
【００２３】
【発明の実施の形態】
図１を参照して、第１実施の形態にかかるガス制御装置１は、例えばガスコンロ２に組込まれる。この場合、ガスコンロ２は箱状のコンロ器体２１を有し、コンロ器体２１には、その上面を覆う天板２２に設けた２個の開口を臨むように２個のガスバーナー２３ａ、２３ｂが設けられている。
【００２４】
コンロ器体２１にはまた、その前面の両端に設けた前面パネル２４の間に位置してセラミックプレート式バーナー（図示せず）を設けたグリル２５が設けられている。そして、本発明のガス制御装置１によって２個のガスバーナー２３ａ、２３ｂ及びセラミックスプレート式バーナーへの燃料ガスの供給が制御される。
【００２５】
図２を参照して、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。
【００２６】
ガス流入部１３の下流側に位置して第１内部通路１２ａには電磁弁３が設けられている。電磁弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００２７】
吸着片にはマグネットケース３１から第１内部通路１２ａの下流側に向かって突出した第１弁体３２が連結されている。電磁弁３の閉弁状態では、第１弁体３２は、該第１弁体３２とマグネットケース３１との間に縮設したばね３３の付勢力によって、シール材３４ａを介して第１内部通路１２ａに設けた弁座部材３４の弁座に着座している。
【００２８】
該電磁弁３の開弁操作は、シール材４１を介して第１内部通路１２ａに挿設され、第１内部通路１２ａの長手方向に沿って前後に移動自在な操作ロッド４により行われる。
【００２９】
また、操作ロッド４には第２弁体４２が設けられ、第２弁体４２は第１内部通路１２ａに設けた弁座４３と共に元弁を構成する。元弁の閉弁状態では、第２弁体４２は、第２弁体４２と弁座部材３４との間に縮設したばね４４により弁座４３に着座している。
【００３０】
操作ロッド４の前後方向の移動は、正面パネル２４から突出させて設けた点消火ボタン５の押込み操作によって行われる（図１参照）。点消火ボタン５は円筒形状に形成され、その第１内部通路１２ａ側の端面には、点消火ボタン５の移動に伴って操作ロッド４を押圧する押圧ロッド５ａが連結されている。
【００３１】
また、押圧ロッド５ａの一端は、第１部分１１ａの下側に設けたハートカム機構５ｂに連結されている。この場合、後述の火力調節ダイヤルの先端面から突出し第１内部通路１２ａを閉鎖する閉弁位置（図１に示す状態）から点火操作を行うために点消火ボタン５の押込み操作すると、押圧ロッド５ａを介して操作ロッド４が後方向（図２の右側）に押圧されて元弁を開弁させた後、弁体３２を吸着片側に押しきると共に点火手段である放電ユニット（図示せず）が作動する点火位置まで移動する。
【００３２】
点火位置から点消火ボタン５の押圧を開放すると、ハートカム機構５ｂで案内されて前方向（図２の左側）に移動して元弁を開弁保持して第１内部通路１２ａを開放した状態の開弁位置に到達する。消火操作を行うために開弁位置から点消火ボタン５をさらに押込み操作すると、ハートカム機構５ｂがリセットされて消火位置に戻される。
【００３３】
また、元弁の上流側に位置して第１部分１１ａにはガス流出口１４が設けられ、該ガス流出口１４は、第２部分１１ｂに設けた略Ｌ字形の第２内部通路１２ｂの一端と一致し、第１及び第２の各内部通路１２ａ、１２ｂがガス通路を構成する。
【００３４】
第２部分１１ｂの外周面には、所定の間隔を置いて４個の第１、第２、第３及び第４の各連通路１５ａ、１５ｂ、１５ｃ、１５ｄが相互に隔絶して設けられている。各連通路１５ａ、１５ｂ、１５ｃ、１５ｄを介して、第２部分１１ｂの上部に連結したガス流出部１６と第２内部通路１２ｂとが連通している。この場合、各連通路１５ａ、１５ｂ、１５ｃ、１５ｄの孔径は、前方向に向かって順次大きく形成している。
【００３５】
そして、ガス流出部１６から流出した燃料ガスは、ガスバーナー２３ａ、２３ｂ及びセラミックプレート式バーナーの各混合管に燃料ガスを噴射するガスノズル（図示せず）へと供給される。この場合、ガスノズルへの燃料ガスのガス量を調節するため、第２内部通路１２ｂには流量調節弁６が設けられている。
【００３６】
図２及び図３に示すように、流量調節弁６は、シール材６１ａを介して第２内部通路１２ｂに回転自在に設けた円筒形状の回転体６１を有する。回転体６１の外周面には、４本の円周方向の第１、第２、第３及び第４の各長溝６２ａ、６２ｂ、６２ｃ、６２ｄが、第１、第２、第３及び第４の各連通路１５ａ、１５ｂ、１５ｃ、１５ｄにそれぞれ対応させて形成されている。この場合、各長溝６２ａ、６２ｂ、６２ｃ、６２ｄの幅寸法は、各連通路１５ａ、１５ｂ、１５ｃ、１５ｄの孔径にそれぞれ一致させかつ円周方向にずらして形成している。
【００３７】
尚、本実施の形態では、各連通路１５ａ、１５ｂ、１５ｃ、１５ｄを通過してガス流出部１６へと流れる燃料ガスのガス流量を所定量に調節する４個のオリフィス孔６３ａ、６３ｂ、６３ｃ、６３ｄを形成したオリフィス部材６３を、各連通路１５ａ、１５ｂ、１５ｃ、１５ｄに一致させて第２部分１１ｂの外周面に装着している。
【００３８】
そして、回転体６１を回転させて各長溝６２ａ、６２ｂ、６２ｃ、６２ｄを各連通路１５ａ、１５ｂ、１５ｃ、１５ｄと適宜一致させてガス流出部１６へと流れる燃料ガスのガス流量が調節される。
【００３９】
回転体６１の回転角の調節は、点消火ボタン５の周囲に設けた火力調節ダイヤル７により行われる。図４に示すように、火力調節ダイヤル７は中空円筒形状の基部７０ａにリング状のキャップ７０ｂを装着して構成されている。
【００４０】
火力調節ダイヤル７の第１内部通路１１ａ側の端部は所定ピッチで歯切りされ、歯切した部分７１が第２部分１１ｂから突出した回転体６１の一端部に嵌合した歯車７２と噛合っている。これにより、火力調節ダイヤル７の回転操作に同期して回転体６１が回転される。
【００４１】
ここで、ガスバーナー２３ａ、２３ｂの点火操作時、燃料ガスへの着火を確実に行うには、例えばガスバーナー２３ａ、２３ｂの火力が強または中になるように燃料ガスをガスバーナー２３ａ、２３ｂに供給するのがよい。
【００４２】
また、安全性を考慮して、子供等が点消火ボタン５に誤って接触して放電ユニットが作動しないようにいわゆるチャイルドロック機構を設けるのがよいが、チャイルドロックのために別個にチャイルドロック操作部を設けたのではコスト高を招く。
【００４３】
図２乃至図６を参照して、本実施の形態では、前面パネル２４から突出した火力調節ダイヤル７の前方向の内周面にカム溝７３を形成すると共に、中空の火力調節ダイヤル７内を前後方向に移動する点消火ボタン５の外周面にカム溝７３と対偶をなす第１突出片５１を設けて強制回転手段を構成した。この場合、第１突出片５１は、点消火ボタンの外周面に設けた半径方向の孔５２に、半径方向外側に向かってばね５３で付勢した状態で設けられている。
【００４４】
これにより、ガスバーナ２３ａ、２３ｂの点火のため、閉弁位置から点消火ボタン５を押込み操作すると、第１突出片５１が原動節となって従動節であるカム溝７３が形成された火力調節ダイヤル７を所定の位置まで回転させる。
【００４５】
この場合、点消火ボタン５の押込み操作を利用して火力調節ダイヤル７を回転させるので、例えば点消火ボタン５と第１部分１１ａとの間に縮設したばね１７の付勢力を大きくする必要がなく、ガス制御装置の構造を簡素化できる。
【００４６】
また、カム溝７３の壁面の高さは、点消火ボタン５の押込み操作につれて一方から他方に向かって低くなるように形成されている。そして、閉弁位置から点消火ボタン５の押込み操作を行うと、点消火ボタン５の移動に伴って第１突出片５１が前記孔５２内に収納され、カム溝７３から長手方向に延びる平坦部７４に到達する。
【００４７】
さらに点消火ボタン５を押込み操作すると、前記孔５２に収納された第１突出片５１は平坦部７４に沿って移動して点火位置に到達する。そして、放電ユニットを作動させてガスバーナー２３ａ、２３ｂを点火した後、点消火ボタン５の押圧を解除すると、ハートカム機構５ｂに案内されてばね５ｃの付勢力によって少し戻り、点消火ボタン５は開弁位置に到達する。
【００４８】
開弁位置に対応して火力調節ダイヤル７の内周面には、平坦部７４と同一平面の回転案内路７５が形成され、回転案内路７５に沿って火力調節ダイヤル７は時計方向または反時計方向に回転自在となる。
【００４９】
この場合、孔５２に収納された第１突出片５１はカム溝７３とは係合していない。そして、火力調節ダイヤル７を、時計方向に回転させるとガス流量が絞られ、反時計方向に回転させるとガス流量が増加するように回転体６１が回転される。
【００５０】
この場合、火力調節ダイヤル７の回転範囲を制限するため、火力調節ダイヤル７の基部７０ａの外周壁に設けた凸部（図示せず）がコンロ器体２１に設けたストッパ（図示せず）に係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致してガス流出部１６へのガス量が最大となるように回転体６１を配置している。
【００５１】
他方で、第１長溝６２ａが第１連通路１５ａとのみ一致する位置に、点消火ボタン５の一端に設けた突出部５６が接触する回転止め７６を回転案内路７５に設けている（図６参照）。
【００５２】
これにより、開弁位置では、火力調節ダイヤル７が、ガス流出部１６へのガス流量を最小にしてガスバーナー２３ａ、２３ｂの火力を小とする小火力と、ガス流量を最大にしてガスバーナー２３ａ、２３ｂの火力を強とする強火力との間の火力調節範囲内でのみ回転自在となり、回転案内路７５の一端部と回転止め７６とが回転範囲制限手段を構成する。
【００５３】
ここで、調理者による火力調節が容易になるように、例えば、ガスバーナー２３ａ、２３ｂの火力が弱及び中となる位置でクリックを発生させるようにしてもよい。
【００５４】
図３に示すように、第１突出片５１に対向して点消火ボタン５の外周面に第２突出片５４を設ける。この場合、第１突出片５１より小径の第２突出片５４は、点消火ボタン５の外周面に設けた半径方向の孔５５に、半径方向外側に向かってばね５６で付勢した状態で設けられている。
【００５５】
また、回転案内路７５の所定の位置に、第２突出片５４のみが係合可能な半径方向の第１及び第２の凹部７７、７８をそれぞれ形成する。そして、例えば、火力調節ダイヤル７を最小流量（この場合、ガスバーナー２３ａ、２３ｂの火力は小）から反時計方向に回転させて第２突出片５４が第１凹部７７に係合するとクリックが発生する。この場合、第１長溝６２ａに加えて第２長溝６２ｂが第２連通路１５ｂに一致してガス流出部１６へのガス流量が増加してガスバーナー２３ａ、２３ｂの火力が弱となる。
【００５６】
さらに火力調節ダイヤル７を反時計回りに回転させ、第２凹部７８と第２突出片５４が係合するとクリックが発生する。この場合、第１及び第２の長溝６２ａ、６２ｂに加えて第３長溝６２ｃが第３連通路１５ｃに一致してガス流出部１６へのガス流量が増加してガスバーナー２３ａ、２３ｂの火力が中となる。
【００５７】
また、点消火ボタン５の閉弁位置では、火力調節ダイヤル７が火力調節範囲を超えて時計方向に回転できるようにカム溝７３を形成している。火力調節範囲を超えて火力調節ダイヤル７をカム溝７３の一端部まで回転させると第１突出片５１が、カム溝７３の一端部に形成した操作ボタン５の押圧方向に対し直角な壁部７３ａに係合する。
【００５８】
これにより、チャイルドロック機構のため別個の操作部を設けることなく、閉弁位置から点火位置に点消火ボタン５を押圧しても移動させることができず、ガスバーナーの点火手段が作動しないロック位置が形成される。
【００５９】
ところで、チャイルドロック機構を設けた場合、調理者にチャイルドロックが働いていることを容易に認識させるようにするのがよい。本実施の形態では、図７に示すように、調理者の目に付き易い火力調節ダイヤル７の上部に窓部７ａを設けると共に回転体６１の所定の位置に赤マークを付けた。そして、火力調節ダイヤル７をロック位置まで回転させると、該赤マークが窓部７ａに一致するようにした。
【００６０】
次に、ガスバーナー２３ａを用いて本発明のガス制御装置１の作動を説明する。
図２に示す閉弁位置から、点消火ボタン５の押込み操作を行うと、第１突出片５１とカム溝７３との作用により火力調節ダイヤル７が回転される。
【００６１】
この場合、回転体６１は歯車７２を介して回転され、この位置では、第１、第２及び第３の各長溝６２ｂ、６２ｃ、６２ｄが第１、第２及び第３の各連通路１５ｂ、１５ｃ、１５ｄにそれぞれ一致し、ガスバーナー２３ａの火力を中とするガス流量の燃料ガスがガス流出部１６へ流れる（図６（ｄ）及び図１１参照）。
【００６２】
点消火ボタン５の押込み操作を続けると、図８に示すように、押圧ロッド５ａを介して操作ロッド４を後方向に押圧して元弁を開弁させ、弁体３２を吸着片側に押しきる点火位置に到達する。
【００６３】
点火位置に到達すると、放電ユニットによってガスバーナー２３ａの点火操作が行われる。そして、ガスバーナー２３ａの近傍に設けた火炎検出素子２６（図１参照）がガスバーナー２３ａの火炎を検出すると、制御ユニットからの信号で電磁弁３が励磁されて開弁保持される。
【００６４】
ガスバーナー２３ａが着火したことを確認して点消火ボタン５の押圧を解除すると、点消火ボタン５は、ハートカム機構５ｂに案内されて図９に示す開弁位置に到達する。開弁位置では、元弁は操作ロッド４の押圧作用で開弁保持されると共に、火力調節ダイヤル７が火力調節範囲内で回転自在になる。
【００６５】
そして、ガスバーナーの火力を強めるため、中火位置から、火力調節ダイヤル７の基部７０ａの外周壁に設けた凸部がコンロ器体２１に設けたストッパに係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致し、ガスバーナー２３ａの火力を強とするガス流量の燃料ガスがガス流出部１６へ流れる（図６（ｅ）及び図１０参照）。
【００６６】
他方で、中火からガスバーナー２３ａの火力を絞るため、第２突出片５４が第１凹部７７に係合してクリックを発生するまで火力調節ダイヤル７を時計方向にさらに回転させると、第１及び第２の各長溝６２ａ、６２ｂが第１及び第２の各連通路１５ａ、１５ｂにそれぞれ一致し、ガスバーナー２３ａの火力を弱とするガス流量の燃料ガスがガス流出部１６へ流れる（図６（ｃ）及び図３参照）。
【００６７】
次いで、第１突出片５１が回転止め７６に接触するまで火力調節ダイヤル７を時計方向に回転させると、第１長溝６２ａが第１連通路１５ａとのみ一致し、ガスバーナー２３ａの火力を小とする最小ガス流量の燃料ガスがガス流出部１６へ流れる（図１２及び図６（ｂ）参照）。
【００６８】
ガスバーナー２３ａを消火する場合、開弁位置から後方向に点消火ボタン５を押込み操作すると、ハートカム機構ｂがリセットされ、点消火ボタン５は、ばね５ｃの付勢力を受けて図２に示す火力調節ダイヤル７から突出した閉弁位置まで後退する。
【００６９】
この場合、押圧ロッド５ａの押圧が解除された操作ロッド４は、ばね３４の付勢力を受けて後方向に移動し、元弁を閉弁する。元弁が閉弁されるとガスバーナー２３ａへの燃料ガスの供給が停止されて消火される。火炎検出素子２６によって火炎が消えたことを制御ユニットが認識すると電磁弁３が閉弁される。
【００７０】
最後に、閉弁位置で、火力調節ダイヤル７を、カム溝７３に沿って火力調節範囲を超えて時計方向に回転させると、第１突起片５１がカム溝７３の壁部７３ａと係合して点消火ボタン５が押圧不能となりチャイルドロックされる。
【００７１】
図１３乃至図１５を参照して、１００は第２実施形態にかかるガス制御装置を示す。該ガス制御装置１００は、例えば調理時になべ等の調理器具から煮汁がこぼれた場合、火力調節ダイヤル７を一方に回転させるとガスバーナー２３ａ、２３ｂの燃焼を停止できるようにした点で上記第１実施の形態と相違する。
【００７２】
この場合、点消火ボタン５の所定の位置には断面略三角形の第１突起部５０１が形成されていると共に、該突起部５０１に対応して、火力調節ダイヤル７の内周面にはその内方に向かって突出した第２突起部５０２が形成されている。
【００７３】
第２突起部５０２は、点消火ボタン５の開弁位置で火力調節ダイヤル７を時計方向に回転させると第１突起部５０１と当接するように形成されている（図１５（ａ）参照）。この場合、回転体６１の第１長孔６２ａが第１連通路１５ａとのみ一致する。このため、第２突起部５０２は、ガス流出部１６への最小ガス流量を設定する火力調節ダイヤル７の回転止めとしての役割を果たす。
【００７４】
第２突起部５０２が第１突起部５０１に当接した位置から火力調節ダイヤル７を時計方向にさらに回転させると、第２突起部５０２が第１突起部５０１の傾斜面５０１ａ上を摺動する（図１５（ｂ）参照）。
【００７５】
この場合、点消火ボタン５が前方向に押込まれ、第２突起部５０２が第１突起部５０１の傾斜面５０１ａを通過すると同時にハートカム機構５ｂがリセットされる（図１５（ｃ）参照）。この場合、点消火ボタン５は、ばね５ｃの付勢力を受けて点消火ボタン５が閉弁位置に戻る（図１５（ｄ）参照）。
【００７６】
これにより、点消火ボタン５を押込み操作してガスバーナー２３ａ、２３ｂを消火する以外に、第１及び第２の各突起部５０１、５０２とが点消火ボタン５の強制移動手段となって、火力調節ダイヤル７を一方に回転させてガスバーナー２３ａ、２３ｂの火炎を消火できるので、ガス器具の使い勝手が向上する。
【００７７】
ところで、第１及び第２の本実施の形態では、歯車機構７１、７２を介して火力調節ダイヤル７と回転体６１とが同期して回転するようにしたが、これに限定されるものではなく、ベルト機構等で火力調節ダイヤル７に同期して回転体６１が回転されるようにしてもよい。
【００７８】
また、図１６に示すように、モータ８を設け、該モータの回転軸に取付けた歯車８１と回転体６１とを噛合わせて、モータ８で回転体６１を回転操作するようにしてもよい。
【００７９】
図１７に示すように、火力調節ダイヤル７を操作してガス流量を急激に絞った場合にガスバーナー２３ａ、２３ｂが消火しないように構成してもよい。この場合、ガス流出口１４と流量調節弁６との間の第２内部通路１２ｂは、ガス流出口１４方向にばね９１で付勢されたダイヤフラム９で仕切られ、仕切られたチャンバ９２とガス流出部１６のガス出口１６ａとの間にはバイパス路９３が設けられている。
【００８０】
そして、ガス流量を急激に絞った場合に生じるガス出口１６ａとガス流出口１４との圧力差でダイヤフラム９を移動させ、チャンバ９２に溜められた燃料ガスをバイパス路９３を介してガス出口１６ａに供給することでガスバーナー２３ａ、２３ｂの失火が防止できる。
【００８１】
さらに、図１８に示すように、ガス流出口１４と流量調節弁６との間に、燃料ガスのガス圧を一致するガバナ弁２００を設けてよく、また、図１９に示すように、ガス流出口１４と流量調節弁６との間に、電磁弁３とは別個の電磁弁２１０を追加するようにしてもよい。
【００８２】
【発明の効果】
以上説明したように本発明のガス制御装置は、別個のチャイルドロック操作部を設けることなく、閉弁位置で火力調節ダイヤルを一方に回転させて点消火ボタンの移動を制限できるので、使い勝手が向上すると共に、部品点数を減らしてコストの低減を図ることができるという効果を奏する。
【図面の簡単な説明】
【図１】本発明のガス制御装置を組込んだガスコンロの斜視図
【図２】閉弁位置にある本発明のガス制御装置の断面図
【図３】（ａ）は、ガスバーナー弱火の場合の点消火ボタンに対する火力調節ダイヤルの位置を説明する図。（ｂ）は、ガスバーナー弱火の場合の回転体の位置を説明する図。
【図４】点消火ボタンと火力調節ダイヤルとの構成を説明する分解斜視図
【図５】（ａ）乃至（ｄ）は、火力調節ダイヤルに対する点消火ボタンの第１突出片の位置を説明する図
【図６】（ａ）乃至（ｅ）は、開弁位置における回転体の回転位置と、火力調節ダイヤルに対する第２突出片の位置とを説明する図
【図７】チャイルドロックの認識表示を説明する斜視図
【図８】点火位置にある本発明のガス制御装置の断面図
【図９】開弁位置にある本発明のガス制御装置の断面図
【図１０】（ａ）は、ガスバーナー強火の場合の点消火ボタンに対する火力調節ダイヤルの位置を説明する図。（ｂ）は、ガスバーナー強火の場合の回転体の位置を説明する図。
【図１１】（ａ）は、ガスバーナー中火の場合の点消火ボタンに対する火力調節ダイヤルの位置を説明する図。（ｂ）は、ガスバーナー中火の場合の回転体の位置を説明する図。
【図１２】（ａ）は、ガスバーナー小火の場合の点消火ボタンに対する火力調節ダイヤルの位置を説明する図。（ｂ）は、ガスバーナー小火の場合の回転体の位置を説明する図。
【図１３】第２実施の形態にかかるガス制御装置の断面図
【図１４】（ａ）は、第２実施の形態にかかる点消火ボタンの斜視図。（ｂ）は、第２実施の形態にかかる火力調節ダイヤルの斜視図
【図１５】火力調節ダイヤルの回転によるガスバーナーの消火を説明する図
【図１６】本発明のガス制御装置の変形例を説明する図
【図１７】本発明のガス制御装置の別の変形例を説明する図
【図１８】本発明のガス制御装置の別の変形例を説明する図
【図１９】本発明のガス制御装置の別の変形例を説明する図
【符号の説明】
１　ガス制御装置
１１ａ、１１ｂ　バルブケーシング
１２ａ、１２ｂ　内部通路
１３　ガス流入部
１６　ガス流出部
５　点消火ボタン
７　火力調節ダイヤル
【図１】
2004012062.tif 000003
【図２】
2004012062.tif 000004
【図３】
2004012062.tif 000005
【図４】
2004012062.tif 000006
【図５】
2004012062.tif 000007
【図６】
2004012062.tif 000008
【図７】
2004012062.tif 000009
【図８】
2004012062.tif 000010
【図９】
2004012062.tif 000011
【図１０】
2004012062.tif 000012
【図１１】
2004012062.tif 000013
【図１２】
2004012062.tif 000014
【図１３】
2004012062.tif 000015
【図１４】
2004012062.tif 000016
【図１５】
2004012062.tif 000017
【図１６】
2004012062.tif 000018
【図１７】
2004012062.tif 000019
【図１８】
2004012062.tif 000020
【図１９】
2004012062.tif 000021